(57)【要約】【課題】管理サーバが、機種や電源投入期間等が異なる様々な機器から、ネットワークのトラフィックを増大させることなく機器情報を容易に取得できるようにする情報処理装置を提供する。【解決手段】情報処理装置は、管理サーバの管理対象となる機器に接続される情報処理装置であって、前記管理サーバと通信を行う通信インタフェース部と、前記機器から電力の供給を受ける電力入力部と、前記機器から前記電力の供給がないときに前記情報処理装置の動作電力を供給する電力供給部と、を有し、前記動作電力を用いて、前記機器の電力の状態に係る情報を前記管理サーバに通知する。【選択図】図３
2015118447.tif 000002
【特許請求の範囲】
【請求項１】
管理サーバの管理対象となる機器に接続される情報処理装置であって、
前記管理サーバと通信を行う通信インタフェース部と、
前記機器から電力の供給を受ける電力入力部と、
前記機器から前記電力の供給がないときに前記情報処理装置の動作電力を供給する電力供給部と、
を有し、
前記動作電力を用いて、前記管理サーバに前記機器の電力の状態に係る情報を通知する情報処理装置。
【請求項２】
前記機器から供給された前記電力を蓄電する蓄電部を有し、
前記電力供給部は、
前記蓄電部に蓄電された電力に基づいて前記動作電力を供給する請求項１に記載の情報処理装置。
【請求項３】
前記情報処理装置又は前記機器が前記管理サーバに送信するパケットに前記機器を特定するための識別情報を付加して送信する請求項１又は２に記載の情報処理装置。
【請求項４】
前記機器の機器情報を記憶する記憶部を有し、
前記機器から前記電力の供給がないときに前記管理サーバから要求情報を受信した場合、前記記憶部に予め記憶した前記機器情報に基づいて前記管理サーバに応答情報を送信する請求項１乃至３のいずれか一項に記載の情報処理装置。
【請求項５】
前記機器から前記電力の供給があるときに前記機器の機器情報を取得し、前記記憶部に記憶する請求項４に記載の情報処理装置。
【請求項６】
前記機器から前記電力の供給がないときに前記管理サーバから受信した前記機器への要求情報を記憶し、
前記機器から前記電力の供給が開始されたときに、記憶した前記機器への要求情報を前記機器に通知する請求項１又は３に記載の情報処理装置。
【請求項７】
前記機器から前記電力の供給がなく、前記蓄電部に蓄電された電力の残量が所定の量を下回った場合、前記管理サーバに前記機器が電源オフであること示す情報を通知する請求項２に記載の情報処理装置。
【請求項８】
時刻又はタイミングを計時する計時部を有し
前記計時部が計時する時刻又はタイミングに基づいて前記情報処理装置の電力状態を制御する請求項１乃至７のいずれか一項に記載の情報処理装置。
【請求項９】
前記情報処理装置の機能の設定を行うためのウェブページを提供する請求項１乃至８のいずれか一項に記載の情報処理装置。
【請求項１０】
管理サーバの管理対象となる機器の機器情報を管理する情報処理システムであって、
前記管理サーバと通信を行う手段と、
前記機器から電力の供給を受ける手段と、
前記機器からの電力の供給がないときに動作電力を供給する手段と、
前記動作電力を用いて、前記機器の電力の状態に係る情報を前記管理サーバに通知する手段と、
を有する情報処理システム。
【発明の詳細な説明】
【技術分野】
【０００１】
本発明は、情報処理装置及び情報処理システムに関する。
【背景技術】
【０００２】
オフィス等に設置された複数の機器を効率良く管理するためのシステムとして、ネットワークに接続された機器から管理のための情報を収集し、収集した情報をサーバに蓄積するシステムがある。このようなシステムで、効率よく機器情報を収集するために、例えば、複合機ではＭＩＢ（Management Information Base）、プロジェクタではＰＪＬｉｎｋ等の標準規格が定められている。
【０００３】
また、複数の写真処理装置の稼働状況を通信回線で接続された遠隔地のホストコンピュータで管理するシステムで、通信回線を介して稼動情報と識別情報をホストコンピュータに自発的に送信する写真処理装置が知られている（例えば、特許文献１参照）。
【発明の概要】
【発明が解決しようとする課題】
【０００４】
特許文献１に開示された技術では、管理対象となる機器が、稼動情報や識別情報等の所定の機器情報をホストコンピュータに自発的に送信することが前提となっている。しかし、オフィス等で管理対象となる機器には、例えば、機種や世代等の異なる複数の機器が含まれている場合があり、このような機器は、必ずしも所定の機器情報を自発的に管理サーバに送信する機能を有していない。
【０００５】
このような場合、管理サーバが、例えば、定期的にポーリングを行い、管理対象となる機器から機器情報を取得することができる。しかし、管理対象となる機器に、例えば、プロジェクタ等のように使用するときだけ電源が投入されるような機器が含まれている場合、ポーリング周期を長く設定すると、機器情報の取りこぼしが発生する場合がある。そのため、管理サーバは、このような管理対象機器の電源が投入されている間に上記ポーリングを行なえるように、ポーリング周期を短くすることが望ましい。しかし、ポーリング周期を短くすると、特に管理される機器の台数が多い場合等、ネットワークのトラフィックが増大してしまうという問題があった。
【０００６】
このように、管理サーバが、機種や電源投入時間等が異なる様々な機器から、ネットワークのトラフィックを増大させることなく機器情報を取得することには困難を伴っていた。
【０００７】
本発明の実施の形態は、上記問題点に鑑みてなされたものであって、管理サーバが、機種や電源投入期間等が異なる様々な機器から、ネットワークのトラフィックを増大させることなく機器情報を容易に取得できるようにする情報処理装置を提供することを目的とする。
【課題を解決するための手段】
【０００８】
上記課題を解決するため、一実施の形態に係る情報処理装置は、管理サーバの管理対象となる機器に接続される情報処理装置であって、前記管理サーバと通信を行う通信インタフェース部と、前記機器から電力の供給を受ける電力入力部と、前記機器から前記電力の供給がないときに前記情報処理装置の動作電力を供給する電力供給部と、を有し、前記動作電力を用いて、前記機器の電力の状態に係る情報を前記管理サーバに通知する。
【発明の効果】
【０００９】
本実施の形態によれば、管理サーバが、機種や電源投入期間等が異なる様々な機器から、ネットワークのトラフィックを増大させることなく機器情報を容易に取得できるようにする情報処理装置を提供することができる。
【図面の簡単な説明】
【００１０】
【図１】一実施形態に係る機器情報管理システムの構成の例を示す図である。
【図２】一実施形態に係る情報処理装置のハードウェア構成の例を示す図である。
【図３】一実施形態に係る情報処理装置の機能構成の例を示す図である。
【図４】第１の実施形態に係る電源オン時の処理の例を示すシーケンスチャートである。
【図５】第１の実施形態に係る機器情報の取得処理の例を示すシーケンスチャートである。
【図６】第１の実施形態に係る電源オフ時の処理の例を示すシーケンスチャートである。
【図７】第２の実施形態に係る機器情報の取得処理の例を示すシーケンスチャートである。
【図８】一実施形態に係る機器情報の例を示す図である。
【図９】第２の実施形態に係る電源オフ時の処理の例を示すシーケンスチャートである。
【図１０】第２の実施形態に係る代理応答処理の例を示すシーケンスチャートである。
【図１１】変形例１に係る設定に応じた代理応答機能の処理の例を示すフローチャートである。
【図１２】変形例２に係る設定に応じた代理応答機能の処理の例を示すフローチャートである。
【図１３】変形例３に係る設定に応じた代理応答機能の処理の例を示すフローチャートである。
【図１４】第３の実施形態に係る機器情報の取得要求受信時の処理の流れを示すフローチャートである。
【図１５】第３の実施形態に係る機器の電源投入時の処理の例を示すシーケンスチャートである。
【図１６】第４の実施形態に係る蓄電部の電力残量が少ない場合の処理の例を示すシーケンスチャートである。
【図１７】第５の実施形態に係るタイマ動作の例を示すシーケンスチャートである。
【図１８】第６の実施形態に係る機器情報管理システムの構成例を示す図である。
【図１９】第６の実施形態に係る設定値の参照、変更処理の例を示すシーケンスチャートである。
【図２０】第６の実施形態に係る設定画面の例を示す図である。
【発明を実施するための形態】
【００１１】
以下に、本発明の実施の形態について、添付の図面を参照して説明する。
【００１２】
＜システム構成＞
図１は、一実施形態に係る機器情報管理システムの構成の例を示す図である。機器情報管理システム１００は、例えば、管理対象となる機器１０４、１０５、１０６と、機器１０４〜１０６のそれぞれに接続された拡張デバイスである情報処理装置１０１と、管理サーバ１０２と、を有する。尚、機器情報管理システム１００は、本発明に係る情報処理システムの一例である。また、管理対象となる機器１０４〜１０６の数は一例であって、機器１０４〜１０６の数は他の数であっても良い。
【００１３】
管理サーバ１０２は、例えば、インターネット、社内ＬＡＮ（Local Area Network）、等のネットワーク１０３、及び情報処理装置１０１等を介して、管理対象となる機器１０４、１０５、１０６から機器情報を収集して管理する。
【００１４】
管理対象となる機器１０４〜１０６は、例えば、複合機、コピー機、スキャナ、プリンタ、プロジェクタ、テレビ会議装置、電子黒板装置等の様々な機器を含む。機器１０４〜１０６は、管理サーバ１０２から機器情報の要求メッセージを受信すると、自装置の機器情報を取得して、取得した機器情報を含む応答メッセージを管理サーバに送信する。
【００１５】
情報処理装置１０１は、複数の機器１０４〜１０６のそれぞれに装着される拡張デバイスであり、装着された機器１０４〜１０６から電力の供給を受けることができるように構成されている。例えば、情報処理装置１０１は、機器１０４のＵＳＢ（Universal Serial Bus）インタフェース等から、ＵＳＢバスパワーの供給を受ける。ＵＳＢバスパワーは、機器１０４の電源がオンになると電力の供給を開始し、機器１０４の電源がオフになると電力の供給を停止する。従って、情報処理装置１０１は、機器１０４からの電力供給の開始を機器１０４の電源オンと検知することができる。
【００１６】
また、情報処理装置１０１は、機器１０４から供給された電力を蓄電する蓄電部を有しており、例えば、この蓄電部に蓄電された電力を用いて動作することにより、機器１０４からの電力供給の停止を機器１０４の電源オフと検知することができる。
【００１７】
さらに、情報処理装置１０１は、管理サーバ１０２と通信を行うための通信インタフェースを有しており、機器１０４の電源オンを検知すると、機器１０４の電力状態に係る情報、例えば、機器１０４が電源オンであることを示す情報を管理サーバに送信する。同様に、情報処理装置１０１は、機器１０４の電源オフを検知すると、例えば、蓄電部に蓄電された電力を用いて、機器１０４の電力の状態に係る情報、例えば、機器１０４が電源オフであることを示す情報を管理サーバに送信する。
【００１８】
このように、本実施の形態に係る機器情報管理システム１００では、管理サーバ１０２は、管理対象となる機器１０４〜１０６の電源のオン／オフの状態を認識することができる。これにより、管理サーバ１０２は、例えば、電源オフの機器にはポーリングを行わずに、電源がオンになったときに機器情報の要求メッセージを送信する等、効率のよいネットワーク通信が可能となる。すなわち、本実施の形態に係る情報処理装置１０１によれば、管理サーバが、機種や電源投入期間等が異なる様々な機器から、ネットワークのトラフィックを増大させることなく機器情報を容易に取得できるようにすることができる。
【００１９】
尚、上記構成は一例であって、本発明の範囲を限定するものではない。例えば、情報処理装置１０１が、機器１０４から電力の供給を受けるインタフェースは、機器１０４の電源オン／オフに応じて電力の供給が開始／停止されるものであれば、ＵＳＢ以外のインタフェース、例えば、ＩＥＥＥ１３９４等のインタフェースであっても良い。
【００２０】
また、ネットワーク１０３は、管理サーバ１０２と、情報処理装置１０１及び機器１０４〜１０６とが通信できるものであれば良く、例えば、無線ＬＡＮ、近距離無線通信、移動体通信網等の各種ネットワークを含んでいても良い。
【００２１】
さらに、情報処理装置１０１は、機器１０４〜１０６から供給された電力を蓄電する蓄電部を有するものとして説明を行ったが、蓄電部は一例であって、機器１０４〜１０６の電源がオフのときに、情報処理装置１０１に電力を供給する仕組みを有していれば良い。例えば、蓄電部に代えて太陽電池等の発電手段を有していても良いし、外部から電力を入力するインタフェースを有し、蓄電部や外部電源等を情報処理装置１０１の外部に有していても良い。或いは、情報処理装置１０１は、ネットワーク１０３から給電を受けるものであっても良い。
【００２２】
＜ハードウェア構成＞
図２は、一実施形態に係る情報処理装置のハードウェア構成の例を示す図である。情報処理装置１０１は、例えば、コンピュータの構成を有しており、ＣＰＵ（Central Processing Unit）２０１、ＲＡＭ（Random Access Memory）２０２、フラッシュＲＯＭ（Read Only Memory）２０３、ネットワークインタフェース（以下、ネットワークＩ／Ｆと称す）２０４、機器インタフェース（以下、機器Ｉ／Ｆと称す）、電力入力部２０６、蓄電部２０７、電力供給部２０８、計時部２０９、システムバス２１０等を有する。
【００２３】
ＣＰＵ２０１は、フラッシュＲＯＭ２０３等から動作プログラムを読み出して、ＲＡＭ２０２に展開し、展開した動作プログラムを実行する演算装置である。ＲＡＭ２０２は、例えば、ＣＰＵ２０１のワークエリア等として用いられる揮発性のメモリである。フラッシュＲＯＭ２０３は、情報処理装置１０１の動作プログラム、設定値等の情報を記憶する不揮発性のメモリである。また、ＣＰＵ２０１、ＲＡＭ２０２及びフラッシュＲＯＭ２０３は、例えば、制御部２１１として、情報処理装置１０１の全体の制御を行う。
【００２４】
ネットワークＩ／Ｆ部２０４は、ネットワーク１０３を介して管理サーバ１０２と通信を行うための、例えば、有線／無線ＬＡＮ等の通信インタフェースである。尚、本実施の形態では、ネットワークＩ／Ｆ部２０４の通信方式は、管理サーバ１０２と通信が行えるものであれば、その方式は限定しない。例えば、ネットワークＩ／Ｆ部２０４の通信方式は、３Ｇ(3rd Generation)、ＬＴＥ(Long Term Evolution)等の移動体通信、又はＢｌｕｅｔｏｏｔｈ（登録商標）等の短距離無線通信等であっても良い。
【００２５】
機器Ｉ／Ｆ部２０５は、管理対象となる機器１０４〜１０６と通信を行うための、例えば、有線／無線ＬＡＮ、ＵＳＢ、シリアル通信等のインタフェースである。
【００２６】
電力入力部２０６は、管理対象となる機器１０４〜１０６からの電力の供給を受けるための接続部で、例えば、ＵＳＢ、ＩＥＥＥ１３９４等のインタフェースである。
【００２７】
蓄電部２０７は、電力を蓄電するバッテリ、コンデンサ等の蓄電部である。蓄電部２０７は、例えば、電力入力部２０６から入力された電力を蓄電する。
【００２８】
電力供給部２０８は、情報処理装置１０１の動作に必要な動作電力を供給する。電力供給部２０８は、電力入力部２０６からの電力の供給がないときに、例えば、蓄電部２０７に蓄電された電力を用いて情報処理装置１０１の動作電力を供給する。また、電力供給部２０８は、電力入力部２０６から電力の供給があるとき、蓄電部２０７に蓄電された電力、及び／又は電力入力部２０６から入力された電力を用いて動作電力の供給を行う。尚、情報処理装置１０１は、電力入力部２０６から電力の供給があるとき、電力供給部２０８を介さずに、電力入力部２０６から入力された電力を用いて動作するものであっても良い。
【００２９】
計時部２０９は、例えば、タイマ、リアルタイムクロック等で構成され、時刻及び／又はタイミングを計時する。
システムバス２１０は、アドレス及びデータバス、各種制御信号等を伝達する。
【００３０】
＜機能構成＞
図３は、一実施形態に係る情報処理装置の機能構成の例を示す図である。情報処理装置１０１は、図２で既に説明したように、制御部２１１、ネットワークＩ／Ｆ部２０４、機器Ｉ／Ｆ部２０５、電力入力部２０６、蓄電部２０７、電力供給部２０８、計時部２０９を有する。
【００３１】
また、図３の制御部２１１は、例えば、通信制御部３０１、電源制御部３０２、代理機能部３０３、設定部３０４、個別ＩＤ付与部３０５、記憶部３０６等を有する。このうちの、通信制御部３０１、電源制御部３０２、代理機能部３０３、設定部３０４、及び個別ＩＤ付与部３０５は、例えば、制御部２１１で動作するプログラムによって実現される。また、記憶部３０６は、例えば、図２のフラッシュＲＯＭ２０３及び／又はＲＡＭ２０２等に含まれる。
【００３２】
尚、上記構成は一例であって、通信制御部３０１、電源制御部３０２、代理機能部３０３、設定部３０４、及び個別ＩＤ付与部３０５のうちの少なくとも一部は、ハードウェアで構成されるものであっても良い。
【００３３】
通信制御部３０１は、ネットワークＩ／Ｆ部２０４及び機器Ｉ／Ｆ部２０５に係る通信の制御を行う。通信制御部３０１は、例えば、記憶部３０６に記憶された設定情報３０９等に基づいて、接続された管理対象となる機器１０４の電力の状態に係る情報を管理サーバに送信する。
【００３４】
尚、本実施の形態では、接続された機器１０４からの電力の供給がないときに、蓄電部２０７に蓄電された電力を用いて動作電力を供給する電力供給部２０８を有している。そのため、通信制御部３０１は、接続された機器１０４の電源がオフされた場合であっても、電力供給部２０８が供給する動作電力を用いて、機器１０４の電力の状態に係る情報を管理サーバに送信することができる。
【００３５】
また、通信制御部３０１は、情報処理装置１０１及び／又は接続された機器１０４が管理サーバ宛に送信する情報に、個別ＩＤ付与部３０５が生成した識別情報を付加（追加）して送信する機能を有している。
【００３６】
電源制御部３０２は、電力入力部２０６、蓄電部２０７、及び電力供給部２０８等に係る制御を行う。例えば、電源制御部３０２は、電力入力部２０６に接続された機器１０４からの電力の供給の有無を検知する。また、電源制御部３０２は、例えば、電力入力部２０６、蓄電部２０７等と協働して蓄電部２０７への蓄電の制御を行う。さらに、電源制御部３０２は、必要に応じて電力供給部の制御も行う。
【００３７】
代理機能部３０３は、記憶部３０６に記憶された設定情報３０９、及び接続された機器１０４の電力状態等に応じて、代理応答機能、又は代理要求機能に関する制御を行う。
【００３８】
代理応答機能は、接続された機器１０４からの電力の供給がある場合、機器Ｉ／Ｆ部２０５を介して機器１０４から機器情報を取得して、例えば、記憶部３０６に機器情報３０７として記憶する。さらに、接続された機器１０４からの電力の供給が無い場合、管理サーバ１０２から受信した機器１０４に機器情報の取得を要求するメッセージに対して、記憶部３０６に予め記憶した機器情報３０７に基づいて、代理で応答メッセージの送信を行う。
【００３９】
代理要求機能は、接続された機器１０４からの電力の供給がない場合、管理サーバ１０２から受信した機器１０４に機器情報の取得を要求するメッセージを記憶部３０６に要求情報３０８として記憶する。さらに、機器１０４からの電力の供給が開始された場合、記憶部３０６に記憶した要求情報３０８を機器１０４に送信する機能である。
【００４０】
設定部３０４は、記憶部３０６に記憶された設定情報３０９を、例えば、ネットワーク１０３を介して接続された外部のコンピュータのウェブブラウザから参照、及び／又は変更可能なウェブページを提供するウェブサーバの機能を有している。
【００４１】
個別ＩＤ付与部３０５は、接続された機器１０４を識別するための個別ＩＤの生成、付与等を行う。個別ＩＤは、機器情報管理システム１００において、管理対象となる機器を一意に特定するための識別情報である。
【００４２】
尚、上記各機能の切り分けは一例であり、制御部２１１、或いは情報処理装置１０１として上記機能を有していれば、各機能の切り分けは任意で良い。
【００４３】
＜個別ＩＤ＞
ここで、個別ＩＤについて説明を行う。本実施の形態に係る機器情報管理システム１００では、機種や世代等が異なる様々な機器を管理可能なため、管理対象となる機器を一意に特定するための個別ＩＤを、管理対象となる機器に設定することには困難を伴う。
【００４４】
例えば、機器によっては、機器ＩＤ等の識別子を設定可能であるが、識別子の変更ができない機器や、識別子自体を有していない機器もあり得る。また、管理対象となる機器をＩＰアドレス等で管理した場合、機器を移動すると、ＩＰアドレスが変わってしまう場合がある。さらに、通信パケットの中のＭＡＣアドレスは、隣り合うノード間の情報しか含んでいないため、ルータを介して通信を行う場合には、識別子として利用できない。
【００４５】
そこで、本実施の形態に係る情報処理装置１０１は、接続された機器１０４を一意に識別可能な個別ＩＤを生成、付与する個別ＩＤ付与部３０５を有する。さらに、通信制御部３０１は、情報処理装置１０１又は管理対象となる機器１０４が管理サーバ１０２に送信する情報に、生成された個別ＩＤを追加して送信する。
【００４６】
個別ＩＤ付与部３０５が生成する個別ＩＤは、情報処理装置１０１に接続された機器１０４を一意に識別可能なものであれば良い。好適な一例として、個別ＩＤ付与部３０５は、管理対象となる機器１０４が送信するイーサネット（登録商標）フレームのイーサヘッダ等に含まれる送信元のＭＡＣアドレス等に基づいて個別ＩＤを生成すると良い。ＭＡＣアドレスは、原則的にネットワーク機器に一意に割当てられる物理アドレスなので、個別ＩＤを生成するために好適に利用することができる。
【００４７】
例えば、ＭＡＣアドレスは、４８ビットのうち、最初の２４ビットがベンダーＩＤ、次の８ビットが機種ＩＤ、最後の１６ビットがシリアルＩＤとなっていることが一般的である。従って、例えば、ＭＡＣアドレスの下位２４ビットを個別ＩＤとして好適に利用することができる。或いは、ＭＡＣアドレスの上位１６ビットと下位１６ビットを組み合わせて個別ＩＤとするものであっても良いし、ＭＡＣアドレスをそのまま個別ＩＤとして利用するものであっても良い。
【００４８】
また、通信制御部３０１による個別ＩＤの付加方法については、例えば、ＴＣＰパケットのデータ部分の先頭又は末尾等に生成された個別ＩＤを追加してチェックサムを再計算し、パケットを再構築して管理サーバ１０２へ送信するものであっても良い。或いは、通信制御部３０１は、個別ＩＤを含む新たなパケットを生成し、管理サーバ１０２へ送信するパケットに続いて、個別ＩＤを含む新たなパケットを送信するものであっても良い。この場合、個別ＩＤを含む新たなパケットの送信先、送信元等の情報は、管理サーバ１０２へ送信するパケットの内容を参照して設定すれば良い。
【００４９】
＜処理の流れ＞
［第１の実施の形態］
第１の実施の形態では、一実施形態に係る機器情報管理システム１００の基本シーケンスについて説明を行う。
【００５０】
図４は、第１の実施の形態に係る電源オン時の処理の例を示すシーケンスチャートである。ユーザが管理対象となる機器１０４の電源を投入すると（ステップＳ４０１）、機器１０４から情報処理装置１０１への電力の供給が開始される（ステップＳ４０２）。電源制御部３０２は、電力入力部２０６に電力の供給が開始されたことを検知すると（ステップＳ４０３）、通信制御部３０１に電源オンの通知を行う（ステップＳ４０４）。また、電源制御部３０２は、必要に応じて蓄電部２０７の蓄電の開始処理を行う（ステップＳ４０５）。尚、蓄電の開始処理は、電力入力部２０６、及び／又は蓄電部２０７で行われるものであっても良い。
【００５１】
電源オンの通知を受けた通信制御部３０１は、個別ＩＤ付与部３０５に個別ＩＤの取得を要求する（ステップＳ４０６）。要求を受けた個別ＩＤ付与部３０５は、例えば、予め機器１０４が管理サーバ１０２に送信したパケット等から生成して記憶した機器１０４の個別ＩＤを通信制御部３０１に通知する（ステップＳ４０７）。
【００５２】
通信制御部３０１は、個別ＩＤ付与部３０５から個別ＩＤを取得すると、取得した個別ＩＤを含む電源オンを通知する情報を作成する（ステップＳ４０８）。次に、通信制御部３０１は、作成した電源オンを通知する情報を、ネットワークＩ／Ｆ２０４を介して管理サーバ１０２に送信する（ステップＳ４０９）。尚、通信制御部３０１は、取得した個別ＩＤを、電源オンを通知する情報と別のパケットで送信するものであっても良い。
【００５３】
このように、情報処理装置１０１は、接続された機器１０４から電源の供給が開始されると、管理サーバ１０２に、電源オンを通知する情報、及び機器１０４の個別ＩＤを送信する。
【００５４】
図５は、第１の実施形態に係る機器情報の取得処理の例を示すシーケンスチャートである。図５において、情報処理装置１０１に接続された管理対象の機器１０４は、電源オンの状態、すなわち、機器１０４から情報処理装置１０１に電力の供給が行われているものとする。
【００５５】
通信制御部３０１は、管理サーバ１０２からネットワークＩ／Ｆ部２０４を介して機器１０４の機器情報の取得を要求する情報（メッセージ）を受信する（ステップＳ５０１）。機器情報の取得を要求する情報を受信した通信制御部３０１は、機器Ｉ／Ｆ部２０５を介して、受信した機器情報の取得を要求する情報を、機器１０４に通知する（ステップＳ５０２）。
【００５６】
機器情報の取得を要求する情報を受信した機器１０４は、管理サーバ１０２へ送信する機器情報を作成する（ステップＳ５０３）。さらに、機器１０４は、作成した機器情報を含む応答情報（メッセージ）を、情報処理装置１０１を介して、管理サーバ１０２宛てに送信する（ステップＳ５０４）。
【００５７】
情報処理装置１０１の通信制御部３０１は、機器Ｉ／Ｆ部２０５を介して、機器１０４から機器情報を含む応答情報を受信すると、個別ＩＤ付与部３０５に個別ＩＤを要求する（ステップＳ５０５）。個別ＩＤ付与部３０５は、例えば、受信したパケットを解析し生成された機器１０４の個別ＩＤを通信制御部３０１に通知する（ステップＳ５０６）。尚、このとき、個別ＩＤ付与部３０５は、予め生成して記憶した機器１０４の個別ＩＤを通信制御部３０１に通知しても良いし、個別ＩＤを新たに生成して、通知しても良い。
【００５８】
通信制御部３０１は、個別ＩＤ付与部３０５から個別ＩＤを取得すると、個別ＩＤを含む応答情報を作成する（ステップＳ５０７）。尚、このとき、通信制御部３０１は、個別ＩＤを含む応答情報を作成せずに、個別ＩＤを応答情報とは別のパケットで送信するものであっても良い。続いて、通信制御部３０１は、作成した応答情報をネットワークＩ／Ｆ２０４を介して管理サーバ１０２に送信する（ステップＳ５０８）。
【００５９】
このように、情報処理装置１０１は、機器１０４からの電力の供給が有る場合、管理サーバ１０２から受信した、機器１０４に機器情報の取得を要求する情報を機器１０４に転送する。さらに、情報処理装置１０１は、機器１０４から管理サーバ１０２への応答情報を受信すると、応答情報、及び機器１０４の個別ＩＤを管理サーバ１０２に送信する。
【００６０】
図６は、第１の実施形態に係る電源オフ時の処理の例を示すシーケンスチャートである。機器１０４が電源オン状態のときに、ユーザが機器１０４の電源をオフすると（ステップＳ６０１）、機器１０４から情報処理装置１０１への電力の供給が停止する（ステップＳ６０２）。電源制御部３０２は、接続された機器１０４からの電力の供給が停止すると、電力の供給が停止したことを検知し（ステップＳ６０３）、通信制御部３０１に電源オフの通知を行う（ステップＳ６０４）。また、電源制御部３０２は、必要に応じて蓄電部２０７の蓄電の停止処理を行う（ステップＳ６０５）。尚、蓄電の停止処理は、電力入力部２０６、及び／又は蓄電部２０７で行われるものであっても良い。
【００６１】
電源オフの通知を受けた通信制御部３０１は、個別ＩＤ付与部３０５に個別ＩＤの取得を要求する（ステップＳ６０６）。要求を受けた個別ＩＤ付与部３０５は、例えば、予め機器１０４が管理サーバ１０２に送信したパケット等に基づいて生成し、記憶した機器１０４の個別ＩＤを通信制御部３０１に通知する（ステップＳ６０７）。
【００６２】
通信制御部３０１は、個別ＩＤ付与部３０５から個別ＩＤを取得すると、例えば、取得した個別ＩＤを含む電源オフを通知する情報を作成する（ステップＳ６０８）。次に、通信制御部３０１は、作成した電源オフを通知する情報をネットワークＩ／Ｆ部２０４を介して管理サーバ１０２に送信する（ステップＳ６０９）。尚、通信制御部３０１は、取得した個別ＩＤを、電源オフを通知する情報と別のパケットで送信するものであっても良い。
【００６３】
このように、情報処理装置１０１は、接続された機器１０４から電源の供給が停止されると、管理サーバ１０２に、電源オフを通知する情報、及び機器１０４の個別ＩＤを送信する。
【００６４】
尚、本実施の形態に係る情報処理装置１０１は、接続された機器１０４からの電力の供給が無いときに、例えば、蓄電部２０７に蓄電された電力等を用いて、情報処理装置１０１の動作電力を供給する電力供給部２０８を有している。情報処理装置１０１は、この電力供給部２０８から供給される動作電力を用いて、機器１０４からの電力の供給が無い場合でも、上記一連の動作を行うことができる。
【００６５】
以上、本実施の形態によれば、情報処理装置１０１は、接続された機器１０４の電力の状態に係る情報、例えば、電源オン／オフを示す情報を管理サーバ１０２に送信する。さらに、情報処理装置１０１は、機器１０４、及び／又は情報処理装置１０１が管理サーバに送信する情報に、機器１０４を特定するための個別ＩＤを追加して送信する。
【００６６】
従って、管理サーバ１０２は、機器１０４の電源オン／オフ等の状態を把握することができるので、例えば、電源オンの通知を受けたときにポーリングを行う等、管理対象となる機器１０４から容易に機器情報を取得できるようになる。すなわち、情報処理装置１０１は、機器情報管理システム１００において、管理サーバが、機種や電源投入期間等が異なる様々な機器から、ネットワークのトラフィックを増大させることなく機器情報を容易に取得できるようにすることができる。
【００６７】
［第２の実施形態］
第２の実施形態では、情報処理装置１０１の代理応答機能に係る処理について説明する。
【００６８】
図７は、第２の実施形態に係る機器情報の取得処理の例を示すシーケンスチャートである。図７において、情報処理装置１０１に接続された管理対象の機器１０４は、電源オンの状態、すなわち、機器１０４から情報処理装置１０１に電力の供給が行われている状態であるものとする。
【００６９】
機器１０４の電源オン中に、代理機能部３０３は、例えば、通信制御部３０１、機器Ｉ／Ｆ２０５等を介して、機器１０４に機器情報の取得を要求する（ステップＳ７０１、Ｓ７０２）。尚、代理機能部３０３が送信する機器情報の取得要求は、例えば、管理サーバ１０２が送信する機器情報の取得を要求する情報と同様のフォーマットであると良い。
【００７０】
機器１０４は、機器情報の取得の要求を受信すると、機器情報を作成し（ステップＳ７０３）、作成した機器情報を情報処理装置１０１を介して、例えば、管理サーバ１０２宛に送信する（ステップＳ７０４）。機器１０４から受信した機器情報は、例えば、通信制御部３０１、機器Ｉ／Ｆ２０５等を介して、代理機能部３０３に通知される（ステップＳ７０４、Ｓ７０５）。代理機能部３０３は、受信した機器情報を、記憶部３０６に機器情報３０７として記憶する（ステップＳ７０６）。
【００７１】
図８は、一実施形態に係る機器情報の例を示す図である。図８は、機器１０４がプロジェクタの場合の一例である。機器情報８０１は、例えば、メーカ名、プロジェクタ名、エラー状態、ランプ数、当該ランプの投影時間の累計を示すランプ時間等の情報を含む。尚、図８の機器情報８０１は、あくまでも一例であって、機器情報８０１は、他の情報を含んでいても良いし、図８に含まれる情報を有していなくても良い。
【００７２】
このように、代理機能部３０３は、機器１０４の電源がオン、すなわち機器１０４からの電力の供給が有る場合、機器Ｉ／Ｆ部２０５を介して、機器１０４の機器情報を取得し、記憶部３０６に機器情報３０７として記憶する。
【００７３】
図９は、第２の実施形態に係る電源オフ時の処理の例を示すシーケンスチャートである。機器１０４が電源オン状態のときに、ユーザが機器１０４の電源をオフすると（ステップＳ９０１）、機器１０４から情報処理装置１０１への電力の供給が停止する（ステップＳ９０２）。電源制御部３０２は、接続された機器１０４からの電力の供給が停止すると、電力の供給が停止したことを検知し（ステップＳ９０３）、通信制御部３０１に電源オフの通知を行う（ステップＳ９０４）。また、電源制御部３０２は、必要に応じて蓄電部２０７の蓄電の停止処理を行う（ステップＳ９０５）。
【００７４】
ここで、第１の実施形態では、通信制御部３０１は、管理サーバ１０２に機器１０４の電源オフを通知する情報の送信を行っていた。一方、本実施の形態では、通信制御部３０１は、管理サーバ１０２への電源オフの通知を行わず、代理機能部３０３の代理応答動作を許可（有効化）する（ステップＳ９０６）。以後、情報処理装置１０１は、管理サーバ１０２から機器１０４への機器情報の取得要求に対して、記憶部３０６に記憶した機器情報３０７を用いて、機器１０４の代わりに応答を行う。
【００７５】
図１０は、第２の実施形態に係る代理応答処理の例を示すシーケンスチャートである。尚、図１０において、機器１０４の電源がオフ、すなわち機器１０４からの電力の供給がなく、代理応答機能が有効であるものとする。
【００７６】
この状態で、ネットワークＩ／Ｆ２０４を介して管理サーバ１０２から機器情報の取得を要求するパケットを受信すると（ステップＳ１００１）、通信制御部３０１は、代理機能部３０３に受信した機器情報を要求するパケットを送信する（ステップＳ１００２）。機器情報を要求するパケットを受信した代理機能部３０３は、記憶部３０６に記憶した機器情報３０７から応答に必要な情報を読み出し（ステップＳ１００３）、読み出した機器情報を含む応答情報を通信制御部３０１に送信する（ステップＳ１００４）。
【００７７】
通信制御部３０１は、代理機能部３０３から、機器情報を含む応答情報を受信すると、個別ＩＤ付与部３０５に個別ＩＤを要求する（ステップＳ１００５）。個別ＩＤ付与部３０５は、例えば、予め記憶した機器１０４の個別ＩＤを通信制御部３０１に通知する（ステップＳ１００６）。通信制御部３０１は、個別ＩＤを取得すると、応答情報に個別ＩＤを付与し（ステップＳ１００７）、ネットワークＩ／Ｆ部２０４を介して、管理サーバ１０２に、応答情報、及び機器１０４の個別ＩＤを送信する（ステップＳ１００８）。
【００７８】
このように、本実施の形態に係る情報処理装置１０１は、機器１０４からの電力の供給がない場合、管理サーバ１０２からの要求メッセージに応じて、機器１０４から取得した機器情報に基づく応答情報、及び機器１０４の個別ＩＤを管理サーバ１０２に送信する。
【００７９】
以上、本実施の形態では、情報処理装置１０１は、接続された機器１０４からの電力の供給がある場合、機器Ｉ／Ｆ２０５を介して機器１０４から機器情報を取得する。また、情報処理装置１０１は、機器１０４からの電力の供給がない場合、電力供給部２０８からの動作電力を用いて、管理サーバ１０２からの機器情報の要求に対して、記憶した機器情報を用いて、機器１０４の代わりに応答情報の送信を行う。
【００８０】
次に、いくつかの変形例について説明する。
【００８１】
（変形例１）
代理機能部３０３が代理応答動作を行うか否かは、例えば、設定部３０４等により設定可能な設定情報３０９等により、切替可能であっても良い。
【００８２】
図１１は、変形例１に係る設定に応じた代理機能の処理の例を示すフローチャートである。代理機能部３０３は、例えば、記憶部３０６に記憶された設定情報３０９等を読み出して、代理応答機能の設定状態を取得する（ステップＳ１１０１）。代理応答機能が有効ではない場合、代理機能部３０３は処理を行わない（ステップＳ１１０２）。
【００８３】
一方、代理応答機能が有効な場合、代理機能部３０３は、機器１０４からの電力の入力状態（電源オン／オフの状態）を取得する（ステップＳ１１０３）。
【００８４】
機器１０４からの電力の供給がある場合（ステップＳ１１０４）、代理機能部３０３は、機器１０４から機器情報を取得する（ステップＳ１１０５）。一方、機器１０４からの電力の供給がない場合、代理機能部３０３は、管理サーバ１０２からの機器情報の取得要求に対して、代理で応答を行う（ステップＳ１１０６）。
【００８５】
上記動作により、状況に応じて、代理応答機能を使用するかしないを選択することができるようになり、利便性が向上する。
【００８６】
（変形例２）
また、代理機能部３０３が代理応答動作を行わない場合、情報処理装置１０１は、機器１０４の電源オフに応じて情報処理装置１０１を省電力状態に移行させるものであっても良い。
【００８７】
図１２は、変形例２に係る代理応答機能の処理の例を示すフローチャートである。電源制御部３０２は、機器１０４からの電力供給の停止を検知すると（ステップＳ１２０１）、例えば、記憶部３０６に記憶された設定情報３０９等を読み出して、代理応答機能の有効／無効の設定を確認する（ステップＳ１２０２）。代理応答機能の設定が有効となっていない場合（ステップＳ１２０３）、例えば、通信制御部３０１を介して、代理機能部３０３の代理応答動作を禁止する（ステップＳ１２０４）。
【００８８】
通信制御部３０１は、管理サーバ１０２に、電源オフを示す情報、及び機器１０４の個別ＩＤを、ネットワークＩ／Ｆ部２０４を介して管理サーバ１０２に送信する（ステップＳ１２０５）。また、電源制御部３０２は、情報処理装置１０１を省電力状態に移行させる（ステップＳ１２０６）。
【００８９】
一方、ステップＳ１２０３において、代理応答機能の設定が有効となっている場合、電源制御部３０２は、例えば、通信制御部３０１を介して、代理機能部３０３の代理応答動作を許可する（ステップＳ１２０７）。
【００９０】
上記動作により、情報処理装置１０１の蓄電部２０７に蓄電された電力の消費を低減することができる。
【００９１】
（変形例３）
また、代理機能部３０３の代理応答機能で応答可能な機器情報の種類は、例えば、設定部３０４等により設定可能な設定情報３０９等により、選択可能であっても良い。
【００９２】
図１３は、変形例３に係る代理応答機能の処理の例を示す図である。情報処理装置１０１は、管理サーバ１０２から機器１０４の機器情報の取得を要求する情報を受信すると（ステップＳ１３０１）、受信した情報を、例えば、通信制御部３０１を介して代理機能部３０３に通知する。代理機能部３０３は、機器情報の取得を要求する情報を受信すると、記憶部３０６に記憶された設定情報３０９を読出し、応答可能な設定情報の種類を特定する（ステップＳ１３０２）。
【００９３】
続いて、代理機能部３０３は、特定した応答可能な設定情報の種類に基づいて、受信した機器情報の取得を要求する情報に応答可能か否かを判断する（ステップＳ１３０３）。
【００９４】
受信した機器情報の取得を要求する情報に応答可能な場合（ステップＳ１３０４）、代理機能部３０３は、記憶部３０６に記憶した機器情報３０７を読出し、通信制御部３０１を介して管理サーバに送信する（ステップＳ１３０５）。一方、信した機器情報の取得を要求する情報に応答可能でない場合、代理機能部３０３は、応答可能な機器情報がないことを、通信制御部３０１を介して管理サーバに送信する（ステップＳ１３０６）。
【００９５】
上記動作によれば、設定された種類の情報のみ記憶部３０６に記憶しておけば良いので、記憶部３０６の機器情報３０７の記憶容量を選択（低減）することができる。
【００９６】
［第３の実施形態］
第３の実施形態では、情報処理装置１０１の代理要求機能に係る処理について説明する。
【００９７】
図１４は、第３の実施形態に係る機器情報の取得要求受信時の処理の流れを示すフローチャートである。情報処理装置１０１が、機器１０４からの電力の供給がない状態で、管理サーバ１０２から機器情報の取得要求を受信すると（ステップＳ１４０１）、受信した取得要求は、代理機能部３０３に通知される。取得要求を受信した代理機能部３０３は、記憶部３０６に記憶した要求情報３０８を読み出し（ステップＳ１４０２）、受信した取得要求が既に要求情報３０８として記憶されているか否かを判断する（ステップＳ１４０３）。
【００９８】
受信した取得要求が要求情報３０８として記憶されていない場合、代理機能部３０３は、受信した取得要求を要求情報３０８として記憶する（ステップＳ１４０４）。一方、受信した取得要求が要求情報３０８として記憶されている場合、代理機能部３０３は、受信した取得要求の記憶を行わずに処理を終了する。
【００９９】
このように、本実施の形態では、代理機能部３０３は、機器１０４からの電力の供給がない場合、管理サーバ１０２から新たな機器情報の取得要求を受信すると、受信した取得要求を要求情報３０８として記憶する。
【０１００】
図１５は、第３の実施形態に係る機器の電源投入時の処理の例を示すシーケンスチャートである。図１４において、管理対象となる機器１０４のユーザが機器１０４の電源を投入すると（ステップＳ１５０１）、機器１０４から情報処理装置１０１への電力の供給が開始される（ステップＳ１５０２）。電源制御部３０２は、電力入力部２０６に電力の供給が開始されたことを検知すると（ステップＳ１５０３）、通信制御部３０１に電源オンの通知を行う（ステップＳ１５０４）。また、電源制御部３０２は、必要に応じて蓄電部２０７の蓄電の開始処理を行う（ステップＳ１５０５）。
【０１０１】
電源オンの通知を受けた通信制御部３０１は、代理機能部３０３に電源オンの通知を行う（ステップＳ１５０６）。電源オンの通知を受けた代理機能部３０３は、記憶部３０６に記憶された要求情報３０８を読出し（ステップＳ１５０７）、読み出した機器情報の要求情報を、通信制御部３０１を介して機器１０４に送信する（ステップＳ１５０８、Ｓ１５０９）。
【０１０２】
このように、本実施の形態に係る情報処理装置１０１は、機器１０４が電源オフの時に受信した管理サーバ１０２からの機器情報の要求情報を記憶し、機器１０４の電源がオンになったときに、記憶した要求情報を機器１０４に送信する。これにより、機器１０４は、電源オフ時に要求された機器情報を、電源がオンされたときに、管理サーバ１０２に送信することができる。
【０１０３】
［第４の実施形態］
上記各実施の形態では、機器１０４からの電力の供給が無い場合、情報処理装置１０１は、蓄電部２０７に蓄電された電力を用いて動作するものとして説明を行った。第４の実施形態では、蓄電部２０７に蓄電された電力残量が少ない場合の動作について説明する。
【０１０４】
図１６は、第４の実施形態に係る蓄電部の電力残量が少ない場合の処理の例を示すシーケンスチャートである。情報処理装置１０１の電源制御部３０２は、接続された機器１０４が電源オフであり、かつ代理機能（代理応答機能、又は代理要求機能）が有効な場合、繰り返し、蓄電部の電力残量を監視する（ステップＳ１６０１）。ここで、蓄電部２０７に蓄電された電力の残量が所定の量以上である場合、代理機能が有効な状態を維持する。
【０１０５】
一方、蓄電部２０７に蓄電された電力残量が所定の量を下回った場合、電源制御部３０２は、通信制御部３０１に電源オフの通知を行う（ステップＳ１６０２）。電源オフの
通知を受けた通信制御部３０１は、代理機能部３０３に代理機能の禁止を通知する（ステップＳ１６０３）。尚、代理機能部３０３に代理機能の禁止を通知するのは、電源制御部３０２であっても良い。これにより、代理機能は無効となる。
【０１０６】
続いて、通信制御部３０１は、個別ＩＤ付与部３０５に個別ＩＤの取得を要求する（ステップＳ１６０４）。要求を受けた個別ＩＤ付与部３０５は、個別ＩＤを通信制御部３０１に通知する（ステップＳ１６０５）。通信制御部３０１は、個別ＩＤ付与部３０５から個別ＩＤを取得すると、取得した個別ＩＤを含む電源オフを通知する情報を作成する（ステップＳ１６０６）。
【０１０７】
次に、通信制御部３０１は、作成した電源オフを通知する情報をネットワークＩ／Ｆ部２０４を介して管理サーバ１０２に送信する（ステップＳ１６０７）。尚、通信制御部３０１は、取得した個別ＩＤを、電源オフを通知する情報と別のパケットで送信するものであっても良い。
【０１０８】
このように、本実施の形態では、情報処理装置１０１は、接続された機器１０４から電力の供給が無く、かつ蓄電部２０７に蓄電された電力の残量が所定の値を下回った場合、代理機能を停止し、電源オフであることを示す情報を管理サーバ１０２に送信する。これにより、管理サーバ１０２は、機器１０４及び情報処理装置１０１が電源オフであることを認識できるので、機器情報の取得要求の送信を抑制することができる。
【０１０９】
［第５の実施の形態］
図１７は、第５の実施形態に係るタイマ動作の例を示すシーケンスチャートである。図１７において、ユーザが機器１０４の電源をオフすると（ステップＳ１７０１）、機器１０４から情報処理装置１０１への電力の供給が停止する（ステップＳ１７０２）。電源制御部３０２は、機器１０４からの電力の供給が停止したことを検知すると（ステップＳ１７０３）、計時部２０９にタイマ機能の開始を要求する（ステップＳ１７０４）。続いて、電源制御部３０２は、情報処理装置１０１を省電力状態に移行させる（ステップＳ１７０５）。
【０１１０】
尚、省電力状態とは、例えば、ＣＰＵクロックを低速にしたり、各部への動作電力の供給の一部を停止させる等により、消費電力を低減させる動作モードである。情報処理装置１０１は、省電力状態では、例えば、代理応答機能、及び代理要求機能の動作を行わない。
【０１１１】
一方、計時部２０９は、タイマ機能を開始すると、計時を行い（ステップＳ１７０６）、所定の期間を経過後、又は所定の時刻となった場合に、電源制御部３０２にウェイクアップ通知を行う（ステップＳ１７０７）。計時部２０９からウェイクアップ通知を受けた電源制御部３０２は、情報処理装置１０１を通常動作状態へ移行させる（ステップＳ１７０８）。情報処理装置１０１は、通常動作状態では、管理サーバ１０２から受信した機器情報の取得要求に対して、例えば、代理応答動作、又は代理要求動作等の処理を行うことができる。
【０１１２】
また、計時部２０９は、電源制御部３０２にウェイクアップ通知を送信後、引き続き計時を行い（ステップＳ１７０９）、所定の期間経過後、又は所定の時刻に、電源制御部３０２にスリープ通知を送信する（ステップＳ１７１０）。計時部２０９からスリープ通知を受けた電源制御部３０２は、情報処理装置１０１を省電力状態へ移行させる（ステップＳ１７１１）。上記動作により、情報処理装置１０１は、省電力状態と、通常動作状態とを繰り返す。
【０１１３】
これにより、例えば、管理サーバ１０２から、機器情報の取得要求が送信されている時刻が決まっている場合等、その時間に合わせて通常動作状態に移行して例えば、代理応答動作を行い、それ以外の時間には省電力状態で消費電力を低減させることができる。
【０１１４】
［第６の実施形態］
第６の実施形態では、情報処理装置１０１の設定値を参照、変更する方法について説明する。
【０１１５】
図１８は、第６の実施形態に係る機器情報管理システムの構成例を示す図である。本実施形態では、図１に示した機器情報管理システム１００に、ネットワーク１０３を介して接続されたＰＣ（Personal Computer）等の情報端末１８０１が追加されている。本発明に係る情報処理装置１０１は、機器１０４に外付けで装着する装置であり、基本的に小型で、例えば、表示デバイス、入力装置等のユーザインタフェースを有していないことを想定している。そこで、ネットワーク１０３を介して接続された情報端末１８０１から情報処理装置１０１にアクセスし、ウェブブラウザを介して、設定値の参照、変更を行う構成となっている。
【０１１６】
＜処理の流れ＞
図１９は、第６の実施形態に係る設定値の参照、変更処理の例を示すシーケンスチャートである。管理者が設定変更用の情報端末１８０１を用いて、情報処理装置１０１の設定画面へのアクセス操作を行うと（ステップＳ１９０１）、情報端末１８０１は、ネットワーク１０３を介して、情報処理装置１０１にアクセス情報を送信する（ステップＳ１９０２）。尚、アクセス情報は、例えば、情報処理装置１０１の設定画面のＵＲＬ（Uniform Resource Locator）、ＩＰ（Internet Protocol）アドレス等の宛先情報である。
【０１１７】
情報処理装置１０１の通信制御部３０１は、ネットワークＩ／Ｆ部２０４を介して、設定画面へのアクセス情報を受信すると、受信したアクセス情報を設定部３０４へ転送する（ステップＳ１９０３）。アクセス情報を受信した設定部３０４は、記憶部３０６に記憶された設定情報３０９を取得し（ステップＳ１９０４、Ｓ１９０５）、設定画面を作成する（ステップＳ１９０６）。また、設定部３０４は、作成した設定画面の情報を、通信制御部３０１を介して、情報端末１８０１へ送信する（ステップＳ１９０７、Ｓ１９０８）。情報端末１８０１のウェブブラウザは、受信した設定画面のウェブページを表示する（ステップＳ１９０９）。
【０１１８】
図２０は、第８の実施形態に係る設定画面の例を示す図である。情報端末１８０１は、例えば、図２０の設定画面２００１をウェブブラウザに表示させる。また、管理者は表示された設定画面２００１を用いて、情報処理装置１０１の設定値を変更することができる。
【０１１９】
管理者が設定画面２００１を用いて、設定値の変更操作を行うと（図１９のステップＳ１９１０）、情報端末１８０１は、設定値の変更情報を情報処理装置１０１へ送信する（ステップＳ１９１１）。情報処理装置１０１の通信制御部３０１は、ネットワークＩ／Ｆ部２０４を介して、設定値の変更情報を受信すると、受信したアクセス情報を設定部３０４へ転送する（ステップＳ１９１２）。設定部３０４は、変更された設定値を記憶部３０６の設定情報３０９として記憶する（ステップＳ１９１３）。
【０１２０】
図２０の設定画面２００１の例では、管理者は、代理要求機能の有効／無効の設定、代理応答機能の有効／無効の設定、代理応答する情報種別、タイマ（計時部２０９）との連動動作の設定等を行うことができる。
【０１２１】
このように、本実施の形態に係る情報処理装置１０１は、設定値の変更に用いる表示デバイス、入力装置等のユーザインタフェースを必要としない。
【０１２２】
＜まとめ＞
以上、管理サーバ１０２の管理対象となる機器１０４に接続される情報処理装置１０１は、管理サーバ１０２と通信するネットワークＩ／Ｆ部２０４と、機器１０４から電力の供給がないときに動作電力を供給する電力供給部２０８と、機器１０４の電力の状態に係る情報を管理サーバ１０２に通知する制御部２１１とを有する。
【０１２３】
上記構成により、情報処理装置１０１は、機器１０４の電源がオン／オフされたときに、機器１０４の電源又は電力の状態を示す情報を管理サーバ１０２に送信することができる。これにより、管理サーバ１０２は、機器１０４の電源オン／オフのタイミングを認識することができ、機器１０４が機器情報の取得要求に対して応答できないタイミングを認識することができるようになる。
【０１２４】
また、情報処理装置１０１は、機器１０４と通信を行う機器Ｉ／Ｆ部２０５を有し、機器１０４からの電力の供給がある場合、機器Ｉ／Ｆ部２０５を介して機器１０４の機器情報を取得し、記憶部３０６等に記憶する。さらに、情報処理装置１０１は、機器１０４から電力の供給がない場合、管理サーバ１０２から受信した機器１０４の機器情報の取得要求に対して、記憶部３０６に記憶した機器情報に基づいて応答情報を送信する。
【０１２５】
上記動作により、情報処理装置１０１は、管理サーバ１０２が機器１０４の機器情報を取得可能な期間を拡張することができる。
【０１２６】
さらに、情報処理装置１０１は、接続された機器１０４、又は情報処理装置１０１が管理サーバ１０２に送信するパケットに、機器１０４を一意に特定可能な個別ＩＤを付加して送信する。
【０１２７】
これにより、管理サーバ１０２は、送られてきた情報が、機器１０４に係る情報であることを特定することができる。
【０１２８】
さらにまた、情報処理装置１０１は、接続された機器１０４から供給された電力を蓄電する蓄電部２０７を有し、電力供給部２０８は、蓄電部２０７に蓄電された電力に基づいて、情報処理装置１０１の動作電力を供給する。
【０１２９】
これにより、機器１０４以外の外部電源等によらずに、上記各動作を行うことができる。
【０１３０】
尚、上記機器情報管理システム１００は、本発明に係る情報処理システムの一例であって、本発明の範囲を限定するためのものではない。例えば、情報処理システムが管理する情報は、機器情報以外の情報であっても良いことは言うまでもない。
【０１３１】
また、情報処理装置１０１の蓄電部２０７は、例えば、情報処理装置１０１の外部に設けられていても良い。さらに、機器Ｉ／Ｆ２０５と電力入力部２０６は、例えば、一つのＵＳＢインタフェース等であっても良い。さらにまた、情報処理装置１０１が記憶する、機器情報３０７、要求情報３０８、設定情報３０９等の情報の少なくとも一部は、外部に設けられた記憶手段や、サーバ装置等に記憶されるものであっても良い。
【符号の説明】
【０１３２】
１００    機器情報管理システム（情報処理システム）
１０１    情報処理装置
１０２    管理サーバ
１０４、１０５、１０６    機器
２０４    ネットワークＩ／Ｆ部（通信インタフェース部）
２０５    機器Ｉ／Ｆ部（機器インタフェース部）
２０６    電力入力部
２０７    蓄電部
２０８    電力供給部
２０９    計時部
２１１    制御部
３０３    代理機能部
３０４    設定部
３０５    個別ＩＤ付与部
【先行技術文献】
【特許文献】
【０１３３】
【特許文献１】特開２００３−０７５９３１号公報
【図１】
2015118447.tif 000003
【図２】
2015118447.tif 000004
【図３】
2015118447.tif 000005
【図４】
2015118447.tif 000006
【図５】
2015118447.tif 000007
【図６】
2015118447.tif 000008
【図７】
2015118447.tif 000009
【図８】
2015118447.tif 000010
【図９】
2015118447.tif 000011
【図１０】
2015118447.tif 000012
【図１１】
2015118447.tif 000013
【図１２】
2015118447.tif 000014
【図１３】
2015118447.tif 000015
【図１４】
2015118447.tif 000016
【図１５】
2015118447.tif 000017
【図１６】
2015118447.tif 000018
【図１７】
2015118447.tif 000019
【図１８】
2015118447.tif 000020
【図１９】
2015118447.tif 000021
【図２０】
2015118447.tif 000022